(57)【特許請求の範囲】
【請求項１】
一端の開口部から他端に向けて毛髪束を挿入可能なようにシートにより構成された筒状体からなり、該一端の開口部から該筒状体の内部に挿入された該毛髪束に、該筒状体に注入された毛髪処理剤を、該筒状体をしごいて塗り広げることができるようになされている毛髪保持具であって、
前記筒状体をしごく範囲の終点が、触覚的又は／及び視覚的に分かるようになされている毛髪保持具。
【請求項２】
前記筒状体における前記終点を示す部位が、前記一端の開口部の近傍に設けられている請求項１記載の毛髪保持具。
【請求項３】
前記筒状体における前記終点を示す部位が、前記他端の近傍に設けられている請求項１記載の毛髪保持具。
【請求項４】
前記筒状体に前記終点を示す段差部が設けられている請求項１〜３の何れかに記載の毛髪保持具。
【請求項５】
前記段差部は、前記筒状体の厚み方向に段差を有している請求項４記載の毛髪保持具。
【請求項６】
前記段差部は、前記筒状体の幅方向に段差を有している請求項４記載の毛髪保持具。
【請求項７】
前記筒状体における前記終点を示す部位は、他の部位よりも幅が広く形成されている請求項１〜６の何れかに記載の毛髪保持具。
【請求項８】
前記筒状体における前記終点を示す部位は、他の部位とは表面粗さが異なっている請求項１〜７の何れかに記載の毛髪保持具。
【請求項９】
前記筒状体における前記終点を示す部位は、他の部位とは剛性が異なっている請求項１〜８の何れかに記載の毛髪保持具。
【請求項１０】
前記筒状体における前記終点を示す部位は、他の部位とは異なる色に着色されている請求項１〜９の何れかに記載の毛髪保持具。
【請求項１１】
前記筒状体を挟んでスライドさせる道具を用いて、該筒状体をしごいて前記毛髪処理剤が塗り広げられる請求項１〜１０の何れかに記載の毛髪保持具。
【発明の詳細な説明】
【技術分野】
【０００１】
本発明は、所定量の毛髪を、染毛又はパーマ等することのできる毛髪保持具に関する。
【背景技術】
【０００２】
従来、所定量の毛髪を、染毛又はパーマ等することのできる筒状体から構成される毛髪保持具が知られている。この種の毛髪保持具は、可撓性の筒状体から構成されており、該筒状体における一方の端部から、毛髪束が該筒状体内へ挿入されるようになされている。例えば、毛髪束の染毛を行なう際には、筒状体の内部に毛髪処理剤としての染毛剤を注入し、筒状体の内部で染毛剤が毛髪束に塗布される。
【０００３】
筒状体の形成材料として、染毛剤に対して非透過性の材料を用いることにより、毛髪保持具に挿入されている毛髪以外の毛髪が染毛されることが防止されるので、毛髪の部分的な染毛に効果的である。
【０００４】
また、毛髪束が挿入されている一方の端部とは反対側の他方の端部から、染毛剤が筒状体の内部に注入される場合がある。染毛剤は、他方の端部側から一方の端部へ向かって筒状体をしごいて、毛髪束に塗り広げられる。
【０００５】
前述したような筒状体から構成される毛髪保持具として、例えば、本出願人は、先に特許文献１において、一端部に毛髪取り込み口を有する細長形状の可撓性材料からなる筒状体から構成されており、該筒状体に保持された毛髪を所定の形状に巻き上げ、湾曲又は屈曲させる巻き上げ手段が備えられている毛髪保持具を提案している。
【０００６】
また、特許文献２には、一端の開口部から他端の開口部に向けて毛髪束を挿入可能なようにシートにより構成された筒状体からなり、該筒状体は毛髪処理剤を備えている毛髪保持具が開示されている。
【０００７】
【特許文献１】特開平２００３−９３１３３号公報
【特許文献２】米国特許出願公開第２００４−２１６７５９号明細書
【発明の開示】
【発明が解決しようとする課題】
【０００８】
特許文献１に記載の毛髪保持具は、一方の端部から筒状体の内部に挿入された該毛髪束に、筒状体内の毛髪処理剤を、他方の端部側から一方の端部へ向かって筒状体をしごく範囲が明確でないため、筒状体をしごく際に、一方の端部から毛髪処理剤が漏れ出てしまうおそれがある。
【０００９】
また、特許文献２に記載の毛髪保持具は、毛髪処理剤を新たに筒状体の内部に供給する必要はないものの、毛髪処理剤と毛髪束とをなじませるために、筒状体をしごく際に、そのしごく範囲が明確でない点は、前述したのと同様である。
【００１０】
従って、本発明の目的は、前述した従来技術が有する欠点を解消し得る筒状体から構成される毛髪保持具を提供することにある。
【課題を解決するための手段】
【００１１】
本発明は、一端の開口部から他端の開口部に向けて毛髪束を挿入可能なようにシートにより構成された筒状体からなり、該一端の開口部から該筒状体の内部に挿入された該毛髪束に、該筒状体に注入された毛髪処理剤を、該筒状体をしごいて塗り広げることができるようになされている毛髪保持具であって、前記筒状体をしごく範囲の終点が、触覚的又は／及び視覚的に分かるようになされている毛髪保持具を提供することにより、上記目的を達成したものである。
【発明の効果】
【００１２】
本発明の筒状体から構成される毛髪保持具によれば、筒状体をしごいて、筒状体内の毛髪束に毛髪処理剤を塗り広げる際、該毛髪処理剤が筒状体から漏れ出ない。
【発明を実施するための最良の形態】
【００１３】
以下、本発明の毛髪保持具を、その好ましい一実施形態に基づいて、図面を参照しながら説明する。
【００１４】
第１実施形態の毛髪保持具１は、図１〜図３に示すように、一端の開口部２１から他端の開口部２２に向けて毛髪束Ｈを挿入可能なように一対のシート２３、２３により構成された筒状体２からなり、一端の開口部２１から筒状体２の内部に挿入された毛髪束Ｈに、筒状体２に注入された毛髪処理剤としての染毛剤を、他端の開口部２２側から一端の開口部２１へ向かって筒状体２をしごいて塗り広げることができるようになされており、毛髪束Ｈを染毛するために用いられる。
また、本実施形態の毛髪保持具１は、一端の開口部２１から染毛剤が漏れ出ないように、筒状体２をしごく範囲の終点２７が、触覚的及び視覚的に分かるようになされている。
【００１５】
本実施形態の毛髪保持具１について以下に詳述する。
筒状体２は、図１に示すように、縦長であり、一端の開口部２１から他端の開口部２２に向けて毛髪束Ｈを挿入可能に構成されている。また、筒状体２は、一対の縦長矩形状のシート２３、２３それぞれを、その長手方向の側端部２４、２４同士を接合して形成されたのものである。一対のシート２３、２３は、柔軟であり、筒状体２は可撓性を有している。
【００１６】
筒状体２の長さは、処理すべき毛髪の長さに応じて適切な長さとされ、好ましくは処理すべき毛髪の長さよりも長くなっている。また、筒状体２の開口部２１、２２は長円形状又は円形状であり、その大きさは、挿入する毛髪束の量に応じて適切な大きさとされる。
一般に、筒状体２の長さは５０〜６００ｍｍ、開口部２１，２２の大きさは、長径５〜１００ｍｍ、短径２〜４０ｍｍ程度の範囲である。長径と短径が等しい場合には筒状体２の開口部２１、２２は円形状となる。
【００１７】
毛髪保持具１は、図３（ａ）〜（ｃ）に示すように、一端の開口部２１から筒状体２の内部に挿入された毛髪束Ｈに、筒状体２に注入された染毛剤を、他端の開口部２２側から一端の開口部２１へ向かって筒状体２をしごいて塗り広げて、毛髪束Ｈを筒状体２の内部で染毛処理するために用いられることが好ましい。染毛処理の際には、筒状体２の長手方向において、一端の開口部２１を有する上端部２５側を上方にし、他端の開口部２２を有する下端部２６側を下方に位置させることが好ましい。
【００１８】
一対のシート２３、２３は、染毛剤に対して、非透過性の材料から形成されており、染毛剤が筒状体２の側面から外に漏れ出すことはない。その結果、毛髪保持具１に挿入されている毛髪束以外の毛髪が染毛されることが防止される。従って、本実施形態の毛髪保持具１を用いた染毛処理は、頭部における毛髪の部分的な染毛に特に効果的である。
【００１９】
また、染毛剤は、毛髪保持具１内に比較的気密状態で存在することになるので、染毛剤に揮発成分が含まれている場合には、染毛中に該揮発成分が揮発することが防止され、染毛処理を効率的に行えるという利点もある。
【００２０】
前述した一対のシート２３、２３の形成材料としては、ポリエチレン、ポリプロピレンといったポリオレフィン、ポリエチレンテレフタレートといったポリエステル、ナイロン、ポリスチレン、塩化ビニル等の合成樹脂単体で製造されたフィルム、前記合成樹脂をブレンドして製造されたフィルムあるいは前記フィルムを多層にラミネートした合成樹脂フィルム等が好ましく用いられる。
【００２１】
本実施形態の毛髪保持具１において、筒状体２に終点２７を示す段差部が設けられている。ここで、本明細書中でいう近傍とは、毛髪束Ｈの所望長さを染毛でき且つ筒状体２から染毛剤が漏れ出ない程度に近いという意味であり、毛髪に対する染毛する長さ及び筒状体２に注入された染毛剤の量で適宜決めることができる。段差部は、図２に示すように、筒状体２の厚み方向に段差を有している。筒状体２における終点２７を示す部位としての段差部は、図２及び図３に示すように、一端の開口部２１の近傍に設けられており、他の部位よりも厚みが大きく形成されている。
筒状体２を、他端の開口部２２側から一端の開口部２１へ向かって指でしごいていくと、指が段差部である終点２７を示す部位に当接することで、筒状体２をそれ以上しごくことが防止される。また、段差部である終点２７を示す部位は、視覚的にも分かる。
【００２２】
詳述すると、筒状体２における一端の開口部２１の近傍は、矩形形状の一対のシート片３，３それぞれが、筒状体２の上端部２５におけるシート２３の外面に接合されて、その厚みが筒状体２の他の部位よりも大きく形成されている。段差部は、シート片３の下端部２６側の端縁の部分に形成されている。
更に詳述すると、終点２７を示す部位には、段差部に加えて、シート片３の面の部分も含まれる。シート片３が接合されている部分は、筒状体２における他の部位よりも厚みが大きいため、シート片３の面の部分も触覚的及び視覚的に終点２７を示す部位として認知される。
【００２３】
シート片３は、矩形形状であり、その厚みは、０．１〜５ｍｍ、特に０．５〜２ｍｍであることが、筒状体２をしごく範囲の終点２７を示す部位が触覚的に明確に分かる上で好ましい。
【００２４】
シート片３の幅は、筒状体２の幅と略同じである。シート片３における筒状体２の長手方向における長さは、５〜１００ｍｍ、特に１０〜４０ｍｍであることが、一端の開口部２１から染毛剤が漏れ出ることを防止する上で好ましい。シート片３は、その一辺が、筒状体２の上端部２５側の端縁と揃えられて配置されている。
【００２５】
また、本実施形態の毛髪保持具１において、終点２７を示す部位を形成するシート片３は、筒状体２における他の部位とは異なる色に着色されていても良い。このように、筒状体２における終点２７を示す部位が、他の部位とは異なる色に着色されていることにより、筒状体２をしごく範囲の終点２７を示す部位が視覚的にも更に分かり易くなる。
本実施形態の毛髪保持具１における筒状体２は、無色透明な一対のシート２３、２３から形成されている。シート片３は、有色透明に着色されていても良いが、不透明又は半透明に着色されていることが、終点２７を示す部位が視覚的に一層分かりやすくなる上で好ましい。
【００２６】
更に、本実施形態の毛髪保持具１において、一対のシート２３，２３それぞれにシート片３が接合されている部位は、その可撓性が低下し、シート２３の他の部位よりも高剛性を有する高剛性部Ｐとなされている。
従って、本実施形態の毛髪保持具１は、筒状体２をしごく範囲の終点２７を示す部位が、更に触覚的に分かり易くなされている。
【００２７】
高剛性部Ｐのテーバーこわさは、０．５〜１０ｍＮ・ｍ、特に１〜５ｍＮ・ｍであることが、終点２７を示す部位としての高剛性を確保しつつ、毛髪保持具１の可撓性を維持する上で好ましい。
【００２８】
高剛性部Ｐのテーバーこわさは、ＪＩＳ−Ｐ８１２５に示される方法で測定される。
【００２９】
シート片３の形成材料としては、前述したシート２３，２３と同じ材料を用いても良いが、高剛性部Ｐとして前述した剛性の範囲を得る観点から、特にポリスチレン、ポリエチレンテレフタレート等が好ましく用いられる。
【００３０】
本実施形態の毛髪保持具１について、更に説明すると、筒状体２の下端部２６には、筒状体２の内部に注入された染毛剤が、他端の開口部２２から流れ出ることを防止するために、開閉自在の封止手段が設けられていることが好ましい。
前記封止手段としては、例えば、チャックが挙げられる。下端部２６にチャックが設けられることにより、他端の開口部２２の開閉が行なえる。封止手段としては、チャックの他に、面ファスナ、粘着テープ、自己接着性テープ〔例えば仁礼工業製のふしぎテープ（商品名）〕などを用いることもできる。
【００３１】
また、前記封止手段としては、アルミ箔のように可塑性を有し、折り畳んだ状態が維持される部材を下端部２６に接合して、封止手段とすることも好ましい。例えば、筒状体２と同じ幅の縦長矩形のアルミ箔を、下端部２６側の端縁とアルミ箔の端縁とを揃えて接合する。アルミ箔が接合された下端部２６の部分を、上端部２５側に向けて一回又は複数回の折り畳むことにより、筒状体２の下端部が封止される。
【００３２】
本実施形態の毛髪保持具１は、染毛処理をする際に、毛髪束Ｈを一端の開口部２１から筒状体２の内部へ挿入するために、毛髪挿入具を用いることも好ましい。毛髪挿入具は、毛髪保持具１内に挿入された状態で使用され、一方の端部には毛髪束Ｈを係止するための係止部を有し、該係止部は一端の開口部２１から延出しており、他方の端部には、他端の開口部２２から延出する把持部を有していることが好ましい。このような毛髪挿入具としては、例えば、前述した特開平２００３−９３１３３号公報又は米国特許出願公開第２００４−２１６７５９号の明細書等に記載のものが挙げられる。
【００３３】
次に、前述した毛髪保持具１と毛髪挿入具とを用いた染毛処理の一使用態様について、以下に説明する。染毛する際に用いる毛髪保持具１における筒状体２の長さは、毛髪束Ｈの長さよりも長いものを用いることが、毛髪束Ｈ全体を染毛する上で好ましい。
【００３４】
先ず、毛髪挿入具の係止部が一端の開口部２１から延出し、把持部が他端の開口部２２から延出しており、毛髪挿入具が筒状体２内に挿入された状態の毛髪保持具１を用意する。
【００３５】
次に、毛髪挿入具の係止部に毛髪束Ｈを係止する。この際、毛髪束Ｈの頭皮に近い部分を係止部に係止することが好ましい。次に、係止部に毛髪束Ｈを係止した状態で、把持部を引っ張り、毛髪束Ｈを筒状体２の内部に挿入する。毛髪束Ｈは、筒状体２の内部で、図３（ａ）に示すように、概ね直線状に伸ばされた状態となる。
【００３６】
次に、図３（ａ）に示すように、内部に染毛剤が納められた染毛剤容器Ｑを用いて、筒状体２の他端の開口部２２から、所定量の液状の染毛剤を筒状体２の内部に注入する。次に、図３（ｂ）に示すように、毛髪保持具１の下端部２６を両手で摘み、一方の手で下端部２６を摘んだ状態で、図３（ｃ）に示すように、下端部２６側から上端部２５へ向けて、筒状体２の両面を他方の手の指でしごき、染毛剤を毛髪束Ｈに塗り広げる。
【００３７】
他方の指は、毛髪保持具１の終点２７を示す部位において、該終点２７を示す部位に当接することで、筒状体２をそれ以上しごくことが防止される。本実施形態の毛髪保持具１において、終点２７を示す部位は、触覚的及び視覚的に認知され得る。
【００３８】
また、筒状体２がしごかれることにより、筒状体２の内部の染毛剤は、下端部２６側から上端部２５へ向けて、毛髪を浸しながら移動し、終点２７を示す部位までしごかれて移動した染毛剤の残りの部分により、終点２７を示す部位よりも一端の開口部２１側の毛髪束Ｈの部分が染毛される。
【００３９】
このように、筒状体２の他端の開口部２２から注入される染毛剤は、筒状体２の内部に挿入された毛髪束Ｈ全体に塗布できる量であることが好ましく、且つ、終点２７を示す部位までしごかれて移動した染毛剤の残りの部分の量は、一端の開口部２１から漏れ出る量ではないことが好ましい。
【００４０】
更に、前記封止手段が筒状体２に設けられている場合には、下端部２６を封止することが好ましい。
【００４１】
所望により、複数の毛髪保持具１を用いて同様の操作を繰り返し、所定時間放置する。その後、毛髪束Ｈを、毛髪保持具１から取り出し、すすぎ洗いをし、更にシャンプー及びブローをすることが好ましい。
【００４２】
前述した本実施形態の毛髪保持具１によれば、筒状体２をしごく範囲の終点２７を示す部位が、触覚的に分かるようになされているので、例えば、一人で自分の毛髪の染毛処理を行う際にも、染毛剤が筒状体２から漏れ出ることがない。
【００４３】
次に第２〜第５実施形態の毛髪保持具１を、図４〜図１４を参照しながら説明する。第２〜第５実施形態について、特に説明しない点については、第１実施形態に関して詳述した説明が適宜適用される。また、図４〜図１４において、図１〜図３と同じ部材に同じ符号を付してある。
【００４４】
本発明の好ましい第２実施形態の毛髪保持具１において、シート片３は、図４及び図５に示すように、横長矩形である。シート片３の横方向は、筒状体２の幅方向と一致している。シート片３は、その縦方向の長さが、前述した第１実施形態の毛髪保持具１におけるシート片よりも短くなっている。
【００４５】
シート片３は、その縦方向の長さが第１実施形態におけるシート片よりも短いことから、その厚みは、第１実施形態におけるシート片と同等か又はそれ以上大きいことが、筒状体２をしごく範囲の終点２７を示す部位が触覚的、視覚的に明確に分かる上で好ましい。シート片３の厚みは、具体的には、０．５〜５ｍｍの範囲であることが好ましい。
【００４６】
シート片３における横方向の長さは、筒状体２の幅と略同じである。シート片３における縦方向の長さは、１〜１０ｍｍの範囲であることが好ましい
【００４７】
シート片３がシート２３に接合されている位置は、一端の開口部２１側の端縁から下端部２６側へ向かって、５〜１００ｍｍ、特に１０〜４０ｍｍ離間した位置であることが、一端の開口部２１から染毛剤が漏れ出ることを防止する上で好ましい。
【００４８】
また、本実施形態の毛髪保持具１において、終点２７を示す部位を形成するシート片３は、筒状体２における他の部位とは異なる色に着色されており、筒状体２をしごく範囲の終点２７を示す部位が視覚的にも分かるようになされている。更に、毛髪保持具１における一対のシート片３，３が接合されている部位それぞれは、シート２３にシート片３が接合されており、その可撓性が低下していて、他の部位よりも高剛性である高剛性部Ｐとなされている。
【００４９】
また、図６に示すように、シート片３の横幅をシート２３の幅より短くしても良く、図７の様に点付けであっても良い。図６、７の場合には、終点２７を示す部位は、シート片３の代わりにホットメルトなどの接着材や樹脂をシート２３に塗布して形成しても良い。
【００５０】
本発明の好ましい第３実施形態の毛髪保持具１において、筒状体２における終点２７を示す部位は、他の部位よりも幅が広く形成されていて、幅広部Ｑとなっている。本実施形態において、終点２７を示す段差部は、図８に示すように、筒状体２の幅方向にも段差を有している。
毛髪保持具１において、幅広部Ｑを除いた部分を、以下幅狭部Ｑ´ともいう。幅狭部Ｑ´は、毛髪保持具１において、幅広部Ｑよりも下端部２６側の部分である。
【００５１】
幅広部Ｑは横長矩形であり、その横方向は、筒状体２の幅方向と一致している。幅広部Ｑは、幅狭部Ｑ´の幅方向両端縁から幅方向外方に向かって、略同じ長さだけ延出している。
【００５２】
シート２３の外形は、毛髪保持具１の外形と同形である。幅広部Ｑは、横長矩形の一対のシート片３，３それぞれが、シート２３の外面に接合されて形成されている。一対のシート片３，３それぞれは、その接合されているシート２３の部分と同形状を有している。即ち、シート片３は、幅広部Ｑと同形であり、幅広部Ｑは高剛性部Ｐでもある。
幅広部Ｑと幅狭部Ｑ´との境界には、終点２７を示す段差部が形成されている。また、終点２７を示す部位には、幅広部Ｑの面の部分も含まれる。
【００５３】
幅広部Ｑの全幅Ｗ１（図８参照）は、毛髪保持具１の他の部位（幅狭部Ｑ´）よりも０．５〜１０ｍｍ、特に１〜５ｍｍ幅が広いことが、筒状体２をしごく範囲の終点２７を示す部位が触覚的に明確に分かり、シートに使用する材料が無駄にならない点で好ましい。
【００５４】
幅広部Ｑの長さＬ１（図８参照）は、５〜１００ｍｍ、特に１０〜４０ｍｍであることが、一端の開口部２１から染毛剤が漏れ出ることを防止する上で好ましい。
【００５５】
また、幅広部Ｑは、図９に示す様に台形形状であっても良い。その全幅Ｗ２（図９参照）は、段差部においては幅狭部Ｑ´と同じであり、上端部２５では幅狭部Ｑ´よりも０．５〜１０ｍｍ、特に１〜５ｍｍ幅が広いことが、筒状体２をしごく範囲の終点２７を示す部位が触覚的に明確に分かり、シートに使用する材料が無駄にならない点で好ましい。幅広部Ｑの長さＬ２（図９参照）は、５〜１００ｍｍ、特に１０〜４０ｍｍであることが、一端の開口部２１から染毛剤が漏れ出ることを防止する上で好ましい。
幅広部Ｑを以上の仕様にすることにより、終点２７を示す部位は、触覚的及び視覚的に認知され得る。
【００５６】
前述した第１〜第３実施形態の毛髪保持具１は、筒状体２を挟んでスライドさせる道具４を用いて、該筒状体２をしごいて毛髪処理剤が塗り広げられる際に、道具４が終点２７を示す段差部に当たって止まるようになされている。
【００５７】
道具４は筒状体２を挟むことができ、筒状体２に注入された毛髪処理剤を、他端の開口部２２側から一端の開口部２１へ向かって、しごいて塗り広げることができる形状であれば適宜採用することができる。例えば図１０，１１に示す様に、クリップタイプの道具が、構造が簡便である点で好ましい。
【００５８】
筒状体２に注入された毛髪処理剤を、他端の開口部２２側から一端の開口部２１へ向かって、筒状体２を、道具４を用いることによってしごいて塗り広げ、終点２７を示す部位で上記の好ましい第１〜第３の実施形態の各形状に道具４が当接したことで接触的に認知することができる。また、機構的にも上記シート片３、幅広部Ｑによって道具４が終点２７を示す部位よりも先にしごくことを防止することができる。
【００５９】
更に説明すると、終点２７を示す段差部は、筒状体２の厚み方向において外方に向かって突出しているため、筒状体２を道具４で挟んで、筒状体２の下端部２６側から上端部２５へ向かって道具４をスライドさせると、道具４は段差部に当たって止まる。
【００６０】
このように、道具４を用いて筒状体２をしごくことにより、該筒状体２内の毛髪束全体に、毛髪処理剤をむらなく塗り広げることが容易にできる。
【００６１】
本発明の好ましい第４実施形態の毛髪保持具１において、筒状体２における終点２７を示す部位は、他の部位とは表面粗さが異なっている。具体的には、終点２７を示す部位は、図１２に示す様に、他の部位よりも表面粗さが大きく形成されている。
筒状体２における一端の開口部２１の近傍は、矩形形状の一対のシート片３，３が筒状体２の上端部２５における一対のシート２３，２３それぞれの外面に接合されて、その厚みが筒状体２の他の部位よりも大きく形成されている。
【００６２】
一対のシート片３，３それぞれの外面は、筒状体２におけるシート片３が接合されていないシート２３の部分よりも表面粗さが大きく形成されており、毛髪保持具１における一端の開口部２１の近傍には、図８に示す様に、表面粗さの大きい部分Ｒが形成されている。シート片３がシート２３に接合されて形成される段差部も、シート片３が接合されていないシート２３の部分よりもその表面粗さが大きい。本実施形態において、部分Ｒは、高剛性部Ｐでもある。
終点２７は、段差部及びシート片３の面の部分からなる。
【００６３】
部分Ｒの表面粗さと、シート片３が接合されていないシート２３の部分の表面粗さＲｚ（十点平均粗さ）との間に、１０μｍ以上の差があれば、終点２７を示す部位は、触覚的及び視覚的に認知され得る。
【００６４】
部分Ｒの表面粗さを大きくするには、シート片３として、シート２３よりも表面粗さの大きい材質、例えば不織布を用いれば良い。
【００６５】
また、終点２７を示す部位は、他の部位よりも表面粗さが小さく形成されていても良く、同様の効果が奏される。部分Ｒの表面粗さを小さくするには、例えばシート２３に不織布を使用し、シート片３としてシート２３よりも表面粗さの小さい材質、例えばポリエチレンを用いれば良い。
【００６６】
前述した本実施形態の毛髪保持具１によれば、前述した第１実施形態と同様の効果が奏される。
【００６７】
本発明の好ましい第５実施形態の毛髪保持具１は、筒状体における終点２７を示す部位が、他の部位とは剛性が異なっている。一対のシート２３，２３それぞれにおいて、一端の開口部２１側の端縁から所定の長さ部分は、図１３及び図１４に示すように、他の部位よりも剛性が高い高剛性部Ｐとなっている。
【００６８】
高剛性部Ｐは、矩形形状のシートであって、その幅は、シート２３の他の部位と同じであり、その長さは、０．５〜２０ｍｍ、特に１〜５ｍｍであることが、筒状体２をしごく範囲の終点２７を示す部位が触覚的に明確に分かる上で好ましい。
【００６９】
一対のシート２３，２３それぞれにおいて、高剛性部Ｐとシート２３の他の部位とは、図１４に示すように、厚み差が容易に判別できない形態で接合されている。具体的には高剛性部Ｐとシート２３の他の部位とを僅かに重ね合わせて接合されており、製造の容易さと接合強度を確保している。接合形態は、上記の形態に限定されず突き合わせて接合しても、完全に重ね合わせて接合しても良い。
【００７０】
本実施形態の毛髪保持具１における終点２７を示す部位は、高剛性部Ｐ及び該高剛性部Ｐとシート２３の他の部位との境界部である。筒状体２を、下端部２６側から上端部２５へ向かって指でしごいていくと、境界部を境に、筒状体２の剛性の変化が、触覚的に明確に分かるので、筒状体２をしごく範囲の終点が容易に認知される。
【００７１】
詳述すると、筒状体２を指でしごいて、触覚的に終点２７を示す部位として認知される高剛性部Ｐの部分には、指先が所定の面積を有する体の部位であることから、高剛性部Ｐの面状の部分も含まれる。
【００７２】
シート３のテーバーこわさは、０．５〜１０ｍＮ・ｍの範囲であることが、筒状体２の可撓性を確保する上で好ましい。高剛性部Ｐのテーバーこわさは、シート３よりも高く、その好ましい範囲は、前述した実施形態と同様である。
また、高剛性部Ｐは、筒状体２における他の部位とは異なる色に着色されていて、筒状体２をしごく範囲の終点２７を示す部位が視覚的にも分かるようになされていることも好ましい。
【００７３】
前述した本実施形態の毛髪保持具１によれば、前述した第１実施形態と同様の効果が奏される。
【００７４】
本発明の毛髪保持具は、前述した実施形態に制限されることなく、本発明の趣旨を逸脱しない限り適宜変更が可能である。
例えば、本発明の毛髪保持具は、第１〜第３実施形態において、シート片３は一対のシート２３，２３それぞれとは別な部材であったが、一対のシート２３，２３それぞれと一体的に形成されていても良い。また、第１〜第３実施形態の毛髪保持具１において、シート片３は平らな板状であったが、シート片は、凹凸を有していても良い。また、第３実施形態の毛髪保持具１において、シート２３における高剛性部Ｐの部分は、シート２３の他の部位とは異なる色に着色されていて、シート２３の他の部位と同じ剛性を有していても良い。
【００７５】
また、第１〜第３実施形態の毛髪保持具１において、終点２７を示す部位は、筒状体２の厚み方向に段差を有していたが、段差の代わりに、なだらかな傾斜を有していても良い。この場合にも、一端の開口部２１の近傍は、他の部位よりも厚みが大きいため、終点として機能する。また、第１〜第３実施形態の毛髪保持具１において、終点２７を示す部位は、他の部位よりも厚みが大きく形成されていたが、終点２７を示す部位は、他の部位よりも厚みが小さく形成されていても良い。また、第５実施形態の毛髪保持具１において、終点２７を示す部位は、他の部位よりも剛性が高く形成されていたが、終点２７を示す部位は、他の部位よりも剛性が低く形成されていても良い。
【００７６】
また、毛髪処理剤としての染毛剤を一端の開口部２１から筒状体２に注入し、他方の開口部２２へ向かって筒状体２をしごいて塗り広げることもできる。この場合には筒状体２の下端部２６には、筒状体２の内部に注入された染毛剤が、他端の開口部２２から流れ出ることを防止するために、前述封止手段が設けられているか、ヒートシール等の接合手段が施されていることが好ましい。この場合には、筒状体２における終点２７を示す部位が、他端の近傍に設けられていることが好ましい。
更に、本発明の毛髪保持具を用いて、ストレートパーマネント処理を行うことも好ましい。
【００７７】
また道具４は、終点２７が段差部でなくても、他の部位よりも表面粗さが大きく形成されていたり、剛性が異なっていたり、異なる色に着色されていても、触覚的、視覚的に終点を示す部位であると分かるので、このような場合にも使用することができる。
【００７８】
前述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００７９】
【図１】図１は、本発明における毛髪保持具の第１実施形態を示す斜視図である。
【図２】図２は、図１のＸ−Ｘ線断面図である。
【図３】図３は、図１の毛髪保持具をしごいて染毛剤を毛髪束に塗り広げる様子を示す模式図であり、図３（ａ）は毛髪保持具に染毛剤を注入している様子であり、図３（ｂ）は毛髪保持具をしごく前の状態であり、図３（ｃ）は毛髪保持具をしごいている様子を示している。
【図４】図４は、本発明における毛髪保持具の第２実施形態を示す平面図である。
【図５】図５は、図４のＹ−Ｙ線断面図である。
【図６】図６は、第２実施形態の変形例を示す平面図である。
【図７】図７は、第２実施形態の他の変形例を示す平面図である。
【図８】図８は、本発明における毛髪保持具の第３実施形態を示す平面図である。
【図９】図９は、第３実施形態の変形例を示す平面図である。
【図１０】図１０は、毛髪処理剤を塗り広げる道具を示す斜視図である。
【図１１】図１１は、毛髪処理剤を塗り広げる他の道具を示す斜視図である。
【図１２】図１２は、本発明における毛髪保持具の第４実施形態を示す平面図である。
【図１３】図１３は、本発明における毛髪保持具の第５実施形態を示す平面図である。
【図１４】図１４は、図１３のＺ−Ｚ線断面図である。
【符号の説明】
【００８０】
１        毛髪保持具
２        筒状体
２１、２２  開口部
２３        シート
２４        側縁部
２５        上端部
２６        下端部
２７        終点
３        シート片
４        道具
Ｐ        高剛性部
Ｈ        毛髪束
【図１】
0004627043.tif 000002
【図２】
0004627043.tif 000003
【図３】
0004627043.tif 000004
【図４】
0004627043.tif 000005
【図５】
0004627043.tif 000006
【図６】
0004627043.tif 000007
【図７】
0004627043.tif 000008
【図８】
0004627043.tif 000009
【図９】
0004627043.tif 000010
【図１０】
0004627043.tif 000011
【図１１】
0004627043.tif 000012
【図１２】
0004627043.tif 000013
【図１３】
0004627043.tif 000014
【図１４】
0004627043.tif 000015